(57)【要約】【課題】公定分析法よりも簡略化（例えば、使用する装置の小型化，低コスト化）された方法であり、高感度および高精度の分析（例えば、微量金属イオンの測定）が短時間で容易にでき、また危険物の取扱や環境汚染等を考慮する必要の無いようにする。【解決手段】被分析対象１ａに配位子（ソロクロームバイオレットＲＳ）を配合し、該被分析対象１ａ中の測定対象（Ａｌ3+等）と配位子との錯化合物を形成する。その後、被分析対象１ａ中に作用電極２，対電極３，参照電極４を浸し、作用電極２の電位を正電位（前記配位子が酸化する電位）に保持して、該作用電極２に錯化合物を吸着させる。そして、作用電極２の電位を負電位方向に掃引することにより、前記の錯化合物を被分析対象中に溶出すると共に、その作用電極２の電位変化に対する電流変化を検出する。【選択図】図１
2007248158.tif 000002
【特許請求の範囲】
【請求項１】
被分析対象にソロクロームバイオレットＲＳを配合し、該被分析対象中に作用電極，対電極，参照電極を配置して、前記作用電極の参照電極に対する電位を正電位に保持する電位保持工程と、
前記の作用電極の電位を負電位方向に掃引しながら、該作用電極における電位変化に対する電流変化を検出する電位掃引工程と、を有し、
前記作用電極は、炭素系電極であり、
前記の電位保持工程における作用電極の参照電極に対する電位は、ソロクロームバイオレットＲＳが酸化される電位、かつ該ソロクロームバイオレットＲＳの酸化体と３価の錯化性物質との錯化合物が吸着する電位であることを特徴とする溶液分析方法。
【請求項２】
前記の電位保持工程において、作用電極の参照電極に対する電位を０．８Ｖ〜１．２Ｖの範囲内で保持することを特徴とする請求項１記載の溶液分析方法。
【請求項３】
前記被分析対象には、ｐＨ８〜８．８の緩衝溶液を配合したことを特徴とする請求項１または２記載の溶液分析方法。
【請求項４】
前記ソロクロームバイオレットＲＳは、被分析対象に対し２０〜２００μＭの範囲内で配合したことを特徴とする請求項１〜３の何れかに記載の溶液分析方法。
【請求項５】
前記の被分析対象に、還元剤を配合したことを特徴とする請求項１〜４の何れかに記載の溶液分析方法。
【請求項６】
前記の３価の錯化性物質はＡｌ3+またはＦｅ3+であることを特徴とする請求項１〜５の何れかに記載の溶液分析方法。
【請求項７】
前記の還元剤はアスコルビン酸であることを特徴とする請求項６記載の溶液分析方法。
【発明の詳細な説明】
【技術分野】
【０００１】
本発明は、作用電極，対電極，参照電極を構成したボルタンメトリーにより金属イオン等を測定（定性，定量）して分析することが可能な溶液分析方法であって、例えば水道水や環境水等に含まれる錯化性物質を測定して分析することが可能な方法に関するものである。
【背景技術】
【０００２】
水道水質や環境水質等に係る問題は従来から提起され、例えば世界保健機構（ＷＨＯ）による飲料水水質ガイドラインの改訂の検討や、厚生労働省による水道法の改正の検討（平成１６年４月１日から改正水道法が施行（水質検査機関の登録制度関係は平成１６年３月３１日から施行）が行われている。
【０００３】
水道水や環境水等の溶液には意図しない種々の物質が含まれている可能性があり、例えば浄水場の処理工程で凝集剤として使用されているポリ塩化アルミニウムの凝集不良，過剰注入，濾過不良等に起因して、水道水中にアルミニウム（３価のアルミニウムイオン（Ａｌ3+））が残存する可能性が指摘されている。また、アルミニウムは人体に無害であると考えられてきたが、近年、アルツハイマー病患者の脳のアルミニウム濃度が高い傾向であるとの報告があり、そのアルミニウムとアルツハイマー病との関係が注目されている。このため、前記の水道法ではＡｌ3+を快適水質項目として位置付け、水道水中におけるＡｌ3+濃度の規定値（目標濃度値として０．２ｐｐｍ（約７．４μＭ）以下）が設定されている。
【０００４】
水道水等の溶液（被分析対象）を分析する方法としては、公定分析法である原子吸光分析法，ＩＣＰ発光分析法，ＩＣＰ質量分析法等により特定の物質を測定（定性，定量）して分析する方法が知られている。また、吸光光度法では、特定の配位子と反応し得るＡｌ3+等の物質（以下、錯化性物質と称する）が測定対象の場合の具体例としては、被分析対象にオキシン錯塩を配合して錯化合物（アルミニウムオキシン錯体）を形成し、その錯化合物をクロロホルムにより抽出し吸光度（３９０ｎｍ）を検出して測定する分析方法が知られている。
【０００５】
また、Ａｌ3+等のように０価まで還元されない物質はアノーディック・ストリッピング・ボルタンメトリー法で分析することはできないが、該Ａｌ3+等の錯化性物質に関しては電気化学的活性を有することから、電気化学的な手法として、水銀電極（水銀滴を用いる電極等）等と配位子とを用いたカソーディック・ストリッピング・ボルタンメトリー法による分析方法（以下、ＣＳＶ法と称する）も検討されている。例えば、測定対象がＡｌ3+の場合には、そのＡｌ3+と選択的に反応する配位子を被分析対象に配合し、その被分析対象中で形成された錯化合物（Ａｌ3+と配位子との錯化合物；以下、Ａｌ3+錯化合物と称する）を電極に吸着させて濃縮（電極表面に濃縮）した後、該電極の電位を掃引して前記の吸着物質を溶出し、その溶出した際に流れる電流特性（特有の電位にて生じるピーク電流等）を検出し測定する方法が知られている。
【０００６】
しかし、前記の公定分析法では、使用する装置が大型および高価であり、その装置の操作において技術的な熟練度や手間（長時間を要する等）を必要とするため一般的（容易）に扱えるものではない。特に、吸光光度法によりＡｌ3+等を測定する場合には、毒性の強いクロロホルム等の危険物（例えば、環境汚染等を引き起こす物）を要するため、その取扱方法や環境汚染（例えば、廃棄処分する際の汚染）等の観点において懸念されている。
【０００７】
また、水銀電極を用いたＣＳＶ法（非特許文献１）の場合には、前記の公定分析法よりも簡略化（例えば、使用装置の小型化，低コスト化）された方法であり、高感度および高精度の分析（例えば、微量金属イオン濃度の定量）が短時間で容易にでき、電解質を多量に含んだ被分析対象（例えば、海水等）の分析に有利であるものの、水銀電極自体が危険物であり、その取扱方法や環境汚染等の観点において懸念されている。
【０００８】
前記の水銀電極以外の電極（グラッシーカーボン電極等の炭素系電極）を用いたＣＶＳ法（例えば、非特許文献２）も検討されているが、例えばグラッシーカーボン電極を用いてＡｌ3+等の錯化性物質の測定を試みて分析する場合には、錯化合物よりも配位子のほうが電極に吸着（配位子が錯化性物質等と反応せずに吸着）され易いため、その配位子によって炭素系電極の電極反応（錯化合物の吸着反応や溶出反応）が妨害されてしまう。
【０００９】
このため、該グラッシーカーボン電極を用いて被分析対象中のＡｌ3+等の錯化性物質を測定する場合には、前記の配位子を一定量配合（例えば、想定される錯化性物質濃度よりも十分多く配合）し、該被分析対象中で形成された錯化合物を間接的に測定して分析する方法が採られていた。すなわち、錯化合物の形成に関与していない配位子（すなわち、被分析対象中での未反応配位子）を電極に吸着させて濃縮し、該電極の電位を掃引した際に流れる電流特性（特有の電位にて生じるピーク電流等）から未反応配位子を測定し、前記の配位子配合量と未反応配位子量との差から、錯化合物の形成に関与した配位子の量を算出（想定）している。
【００１０】
このように間接的に測定する分析方法では、測定対象濃度（Ａｌ3+等の錯化性物質濃度）が高くなるほど、電流特性（検出信号）の大きさが小さくなる。すなわち、換言すると、測定対象濃度が低くなるに連れて、分析精度が低くなってしまう。
【非特許文献１】Ｊｏｓｅｐｈ  Ｗａｎｇ，Ｐｅｒｃｉｏ  Ａ．  Ｍ．  Ｆａｒｉａｓ，ａｎｄ  Ｊａｗａｄ  Ｓ．  Ｍａｈｍｏｕｄ，“Ｓｔｒｉｐｐｉｎｇ  ｖｏｌｔａｍｍｅｔｒｙ  ｏｆ  ａｌｕｍｉｎｕｍ  ｂａｓｅｄ  ｏｎ  ａｂｓｏｒｐｔｉｖｅ  ａｃｃｕｍｕｌａｔｉｏｎ  ｏｆ  ｉｔｓ  ｓｏｌｏｃｈｒｏｍｅ  ｖｉｏｌｅｔ  ＲＳ  ｃｏｍｐｌｅｘ  ａｔ  ｔｈｅ  ｓｔａｔｉｃ  ｍｅｒｃｕｒｙ  ｄｒｏｐ  ｅｌｅｃｔｒｏｄｅ”，（オランダ国），Ａｎａｌｙｔｉｃａ  Ｃｈｉｍｉｃａ  Ａｃｔａ，Ｅｌｓｅｖｉｅｒ，１９８５，Ｖｏｌｕｍｅ  １７２，Ｐ．５７−６４．
【非特許文献２】Ｆｕｐｉｎｇ  Ｚｈａｎｇ，Ｓｈｕｐｉｎｇ  Ｂｉ，Ｊｉａｎｒｏｎｇ  Ｚｈａｎｇ，Ｎｉｎｇｓｈｅｎｇ  Ｂｉａｎ，Ｆｅｎｇ  Ｌｉｕ，Ｙｉｑｉｎｇ  Ｙａｎｇ，“Ｄｉｆｆｅｒｅｎｔｉａｌ  ｐｕｌｓｅ  Ｖｏｌｔａｍｍｅｔｒｉｃ  ｉｎｄｉｒｅｃｔ  ｄｅｔｅｒｍｉｎａｔｉｏｎ  ｏｆ  ａｌｕｍｉｎｕｍ  ｉｎ  ｄｒｉｎｋｉｎｇ  ｗａｔｅｒｓ，ｂｌｏｏｄ，ｕｒｉｎｅ，ｈａｉｒ，ａｎｄ  ｍｅｄｉｃａｍｅｎｔ  ｓａｍｐｌｅｓ  ｕｓｉｎｇ  Ｌ−ｄｏｐａ  ｕｎｄｅｒ  ａｌｋａｌｉｎｅ  ｃｏｎｄｉｔｉｏｎｓ”，（英国），Ｔｈｅ  Ａｎａｌｙｓｔ  ２０００，Ｔｈｅ  Ｒｏｙａｌ  Ｓｏｃｉｅｔｙ  ｏｆ  Ｃｈｅｍｉｓｔｒｙ，２０００，１２５，Ｐ．１２９９−１３０２．
【発明の開示】
【発明が解決しようとする課題】
【００１１】
以上示したようなことから、前記の公定分析法よりも簡略化（例えば、使用する装置の小型化，低コスト化）された方法であり、高感度および高精度の分析（例えば、微量金属イオンの測定）が短時間で容易にでき、また危険物の取扱や環境汚染等を考慮する必要の無い分析方法の出現が望まれていた。
【課題を解決するための手段】
【００１２】
本発明は、前記課題の解決を図るために、水銀電極以外の電極を作用電極として用いたＣＳＶ法であって、被分析対象中の３価の錯化性物質が含まれている場合には、その錯化性物質と配位子の酸化生成物（酸化体）とを反応させて錯化合物を形成し、電極上に吸着濃縮することで微量濃度の錯化合物を直接的に測定し分析できるようにしたものである。
【００１３】
具体的に、請求項１記載の発明は、被分析対象（例えば、水道水，環境水等）にソロクロームバイオレットＲＳを配合し、該被分析対象中に作用電極，対電極（例えば、白金電極等），参照電極（例えば、後述の実施例ではＡｇ／ＡｇＣｌ参照電極等）を配置して、前記作用電極の参照電極に対する電位を正電位に保持する電位保持工程と、前記の作用電極の電位を負電位方向に掃引（例えば、後述の実施例では微分パルスにて掃引）しながら、該作用電極における電位変化に対する電流変化を検出する電位掃引工程と、を有し、前記作用電極は、炭素系電極（例えば、後述の実施例ではグラッシーカーボン電極等）であり、前記の電位保持工程における作用電極の参照電極に対する電位は、ソロクロームバイオレットＲＳが酸化される電位（例えば、後述の実施例では０．８Ｖ以上）、かつ該ソロクロームバイオレットＲＳの酸化体（以下、ＳＶＲＳ酸化体と称する）と３価の錯化性物質との錯化合物が吸着する電位であることを特徴とする。
【００１４】
請求項２記載の発明は、請求項１記載の発明において、前記の電位保持工程において、作用電極の参照電極に対する電位を０．８Ｖ〜１．２Ｖの範囲内で保持することを特徴とする。
【００１５】
請求項３記載の発明は、請求項１または２記載の発明において、前記被分析対象には、ｐＨ８〜８．８の緩衝溶液を配合したことを特徴とする。
【００１６】
請求項４記載の発明は、請求項１〜３の発明において、前記ソロクロームバイオレットＲＳは、被分析対象に対し２０〜２００μＭの範囲内で配合したことを特徴とする。
【００１７】
請求項５記載の発明は、請求項１〜４記載の発明において、前記の被分析対象に、還元剤を配合したことを特徴とする。
【００１８】
請求項６記載の発明は、請求項１〜５記載の発明において、前記の３価の錯化性物質はＡｌ3+またはＦｅ3+であることを特徴とする。
【００１９】
請求項７記載の発明は、請求項６記載の発明において、前記の還元剤はアスコルビン酸であることを特徴とする。
【００２０】
請求項１記載の発明では、電位保持工程において、被分析対象中のソロクロームバイオレットＲＳが酸化されてＳＶＲＳ酸化体となる。また、被分析対象中に３価の錯化性物質（測定対象）が含まれる場合には、その錯化性物質と前記のＳＶＲＳ酸化体とが反応し、錯化合物が形成される。前記のＳＶＲＳ酸化体は、ソロクロームバイオレットＲＳ自体と比較して、３価の錯化性物質と反応し易く（錯形成され易く）、その形成された錯化合物は、被分析対象中の未反応配位子よりも、電位保持工程の際に作用電極に吸着され易い。すなわち、作用電極の電極反応（錯化合物の吸着反応や溶出反応）が配位子，界面活性剤，非定量対象等によって妨害されなくなる。さらに、電位保持工程，電位掃引工程等の分析操作を繰り返して得られる各電流変化特性が略同一となる。前記のソロクロームバイオレットＲＳは、下記の化学式で示される。
【００２１】
【化１】
2007248158.tif 000003
【００２２】
請求項２〜４記載の発明では、電位掃引工程において錯化合物に係る電流特性が十分に検出される。
【００２３】
請求項５記載の発明では、被分析対象に含まれる複数の錯化性物質（測定対象）のうち何れかを選択的に、ＳＶＲＳ酸化体との反応を防止できる。
【００２４】
請求項６記載の発明では、被分析対象中にＡｌ3+錯化合物またはＦｅ3+錯化合物が形成され、それら錯化合物が測定される。
【００２５】
請求項７記載の発明では、Ｆｅ3+がＦｅ2+に変化するため、Ｆｅ3+錯化合物の形成が防止される。
【発明の効果】
【００２６】
請求項１〜７記載の発明によれば、公定分析法等のように大型および高価で複雑な操作が必要な装置を必要とせず（簡略化）、また危険物の取扱や環境汚染等を考慮する必要の無い方法であり、被分析対象について高感度および高精度の分析（再現性のある分析）を短時間で容易にできる。
【００２７】
また、請求項５〜７記載の発明によれば、被分析対象に含まれる複数の測定対象について選択的に測定する分析が可能となる。
【発明を実施するための最良の形態】
【００２８】
以下、本実施の形態における溶液分析方法を図面等に基づいて説明する。
【００２９】
本実施の形態は、作用電極，対電極，参照電極を構成し、水道水等の被分析対象（例えば、Ａｌ3+等の測定対象を含んだ水道水等の溶液）に配位子を加えてから分析するＣＳＶ法による分析方法であって、前記の作用電極として炭素系電極を用いると共に、前記の配位子としてソロクロームバイオレットＲＳを用い、電位保持工程における作用電極の参照電極に対する電位を、ソロクロームバイオレットＲＳが酸化される電位、かつＳＶＲＳ酸化体と３価の錯化性物質との錯化合物が吸着する電位に保持することにより、該被分析対象中で形成された錯化合物を直接的に測定して分析できるものである。
【００３０】
図１は、本実施の形態における分析方法に適用される装置の一例を示す概略図である。図１において、符号１は測定容器（セル）を示すものであり、その測定容器１内には被分析対象（例えば、水道水等）１ａが入っており、封止部材１ｂにより封止される。符号２は炭素系電極から成る作用電極（例えば、棒状の電極）、符号３は対電極（例えば、白金やカーボンから成るコイル状の電極）、符号４は参照電極（基準電極；例えば、飽和カロメル電極（Ｓａｔｕｒａｔｅｄ  Ｃａｌｏｍｅｌ  Ｅｌｅｃｔｒｏｄｅ）やＡｇ／ＡｇＣｌ電極等）を示すものであり、それら作用電極２，対電極３，参照電極４はそれぞれ一定の距離を隔てて、前記測定容器１内の被分析対象１ａ中に浸されるように設けられる。
【００３１】
符号５はポテンシオスタットを示すものであり、そのポテンシオスタット５には前記作用電極２，対電極３，参照電極４が例えば配線２ａ，３ａ，４ａ等を介して接続される。また、前記ポテンシオスタット５には、該ポテンシオスタット５等を介して得た測定データに係る演算等が可能なコンピュータ（例えば、パーソナルコンピュータ）６の他に、必要に応じてレコーダ，ポテンシャルスイーパ等が接続される。符号７はスターラーを示すものであり、そのスターラー７によって前記測定容器１内の底部に位置する撹拌子７ａを動作させて、前記測定容器１内の被分析対象１ａを撹拌するものである。
【００３２】
次に、図１に示した装置による分析方法の概略を説明する。まず、被分析対象１ａに配位子を所定量配合（想定される測定対象（配位子と反応し得る金属イオン等）の量よりも十分多く配合）し、該被分析対象１ａ中の測定対象（Ａｌ3+等）と配位子との錯化合物（Ａｌ3+錯化合物等）を形成する。なお、必要に応じて、前記の被分析対象１ａ中に窒素等を通気して脱気処理したり、緩衝液の配合によるｐＨ調整等を行う。また、前記の脱気処理では、窒素を通気する替わりに、被分析対象中１ａ中に亜硫酸ナトリウム等（例えば、ゼロ校正に用いられている物質）を加える方法を適用しても良く、分析に要する時間を短縮（例えば、窒素通気の分を短縮）できる可能性がある。
【００３３】
その後、作用電極２表面への錯化合物の移動を促進するために、スターラー７，撹拌子７ａを介して被分析対象１ａを撹拌（乱流）することにより、該被分析対象１ａ中の物質移動（電気化学的活性物質の物質移動、すなわち後述の吸着物質の吸着（濃縮）効率）を促進させながら、ポテンシオスタット５により作用電極２の電位（参照電極４によって規制された電位）を所望の正電位（自然電極電位よりも高い電位）に設定して所定時間保持し、被分析対象１ａ中の錯化合物を前記作用電極２表面にて吸着させて濃縮する。その後、前記ポテンシオスタット５により、前記作用電極２の電位を所定の条件（例えば、パルス間隔，パルス高さ，掃引速度の微分パルス）で負電位方向に掃引して、前記の吸着物質（吸着した錯化合物）を還元反応により被分析対象１ａ中に溶出（カソードストリッピング）する。
【００３４】
前記の吸着物質は、所定の電位でそれぞれ溶出することから、前記作用電極２の電位を掃引（該吸着物質を被分析対象１ａ中に溶出）する際に、該作用電極２の電位変化に対する電流変化（還元電流の変化；作用電極２と対電極３との間を流れる電流変化）を検出する。そして、その電流変化を積分計算して得られる電気量（クーロン量）もしくはピーク電流値を検量線と比較することにより、錯化合物を測定（定量，定性）し前記被分析対象１ａの分析（Ａｌ3+濃度等の分析）を行うことができる。
【００３５】
［実施例］
次に、図１の概略説明図（図１と同様のものには同一符号等を用いて詳細な説明を省略）に示すような分析装置を用い、以下に示す実施例１〜１０のようにＡｌ3+を含んだ種々の試料Ｓ１〜Ｓ１０，Ｐ１〜Ｐ６（配位子等を配合した被分析対象１ａに相当）の分析を行った。
【００３６】
なお、図１に示す分析装置において、作用電極２，対電極３，参照電極４には、それぞれエー・エル・エス社製（販売；ビー・エー・エス（株））のグラッシーカーボン電極（ＯＤ；６ｍｍ，ＩＤ；３ｍｍ），ＶＣ−２用Ｐｔカウンター電極（白金電極），ＲＥ−１Ｃ参照電極（Ａｇ／ＡｇＣｌ電極）を用いた。また、測定容器１にはエー・エル・エス社製（販売；ビー・エー・エス（株））のＶＣ−２ボルタンメトリー用セル、ポテンシオスタット５には（株）ヤナコ社製のポーラログラフィックアナライザーＰ−１１００、レコーダには（株）グラフテック社製のＸＹレコーダＷＸ２４００を用いた。
【００３７】
（実施例１）
本実施例１では、Ａｌ3+錯化合物を形成（選択的に溶液中のＡｌ3+との錯化合物を形成）し得る種々の配位子を用い、それぞれの分析結果を検証した。
【００３８】
まず、５０ｍＭの塩化ナトリウム電解質，２０ｍＭの緩衝溶液Ｔｒｉｓ（ＨＣｌでｐＨ８．２に調整されたＴｒｉｓ；（ｈｙｄｒｏｘｙｍｅｔｈｙｌ）ａｍｉｎｏｍｅｔｈａｎｅ），２μＭのＡｌ3+を配合し、さらにソロクロームバイオレットＲＳを１００μＭ配合して試料Ｓ１を得た。
【００３９】
次に、前記の各試料Ｓ１を測定容器１内にて分析する直前に、その試料Ｓ１に対して４分間の窒素通気を行って脱気処理し、該試料Ｓ１中に作用電極２，対電極３，参照電極４が浸されるように封止部材１ｂで封止した。その後、スターラー７，撹拌子７ａを介して物質移動促進雰囲気下を保ちながら、前記参照電極４に対する作用電極２の電位を＋１．２Ｖに設定することにより、試料Ｓ１中のＡｌ3+錯化合物の作用電極２表面に対する吸着を３分間行った（電位保持工程）。
【００４０】
そして、前記スターラー７，撹拌子７ａを停止してから、前記参照電極４に対する作用電極２の電位を、微分パルスモード（掃引速度２０ｍＶ／ｓ，パルス間隔１００ｍｓ，パルス高さ５０ｍＶ）にて＋１．２Ｖから負電位方向に掃引することにより、前記作用電極２表面のＡｌ3+錯化合物を試料Ｓ１中に溶出（カソードストリッピング）すると共に、その作用電極２の電位変化に対する電流変化を検出（電位掃引工程）し、その検出結果を図２の電位変化に対する電流変化特性図に示した。
【００４１】
また、試料Ｓ１と同様の配合であって、配位子としてエリオクロームブラックＴ（Ｅｒｉｏｃｈｒｏｍｅ  ｂｌａｃｋ  Ｔ），アリザリンレッドＳ（Ａｌｉｚａｒｉｎｅ  ｒｅｄ  Ｓ），カルセイン（Ｃａｌｃｅｉｎ），クロームアズロールＳ（Ｃｈｒｏｍｅ  ａｚｕ  ｒｏｌ  Ｓ），モリン（Ｍｏｒｉｎ）の何れかを１００μＭ配合して試料Ｐ１〜Ｐ５を得、該試料Ｓ１と同様の分析操作により電位保持工程，電位掃引工程を行って電位変化に対する電流変化特性をそれぞれ求めた。
【００４２】
配位子としてソロクロームバイオレットＲＳを用いた試料Ｓ１の場合においては、該試料Ｓ１のバックグランド試料（Ａｌ3+のみが入っていない試料）に対して、Ａｌ3+の配合に応じたピーク電流が生じた。すなわち、試料Ｓ１中のＡｌ3+の全てがソロクロームバイオレットＲＳと反応してＡｌ3+錯化合物となり、そのＡｌ3+錯化合物が電位保持工程にて作用電極２に吸着された後、電位掃引工程にて溶出されたことを読み取れる。
【００４３】
一方、ソロクロームバイオレットＲＳ以外の配位子を用いた試料Ｐ１〜Ｐ５の場合については、各試料Ｐ１〜Ｐ５のバックグランド試料（Ａｌ3+のみが入っていない試料）に対して、Ａｌ3+の配合に応じたピーク電流は認められなかった。すなわち、ソロクロームバイオレットＲＳ以外の配位子を用いた場合は、試料Ｐ１〜Ｐ５中のＡｌ3+の全てが配位子と反応してＡｌ3+錯化合物になったとしても、それぞれの錯化合物が電極上に吸着濃縮されないため、Ａｌ3+錯化合物に係るピーク電流が検出されなかったことを読み取れる。
【００４４】
前記のように試料Ｓ１の場合においてピーク電流が生じた理由としては、まず電位保持工程の際に、ソロクロームバイオレットＲＳが酸化されてＳＶＲＳ酸化体となり、そのＳＶＲＳ酸化体とＡｌ3+とが反応して錯化合物が形成されたことが考えられる。ＳＶＲＳ酸化体は、ソロクロームバイオレットＲＳ自体と比較して、３価の錯化性物質と反応し易く（錯形成され易く）、その形成された錯化合物は、被分析対象中の未反応配位子よりも、電位保持工程の際に作用電極に吸着され易いことが考えられる。
【００４５】
したがって、図１に示すような分析においては、配位子としてソロクロームバイオレットＲＳを用い、電位保持工程における作用電極の参照電極に対する電位を所定電位（ソロクロームバイオレットＲＳが酸化される電位、かつＳＶＲＳ酸化体と３価の錯化性物質との錯化合物が吸着する電位）に保持することにより、被分析対象１ａ中で形成されたＡｌ3+錯化合物が未反応配位子よりも作用電極２に吸着され易くなり、該Ａｌ3+錯化合物を測定（定性，定量）でき、高感度および高精度での分析が可能であることを判明した。
【００４６】
（実施例２）
本実施例２は、緩衝溶液として種々のｐＨのものを用い、それぞれの分析結果を検証した。まず、５０ｍＭの塩化ナトリウム電解質，２０ｍＭの緩衝溶液Ｔｒｉｓ，２μＭのＡｌ3+を配合し、さらにソロクロームバイオレットＲＳを１００μＭ配合して試料Ｓ２を得た。前記の緩衝溶液Ｔｒｉｓにおいては、ＨＣｌによりｐＨ８〜８．８の範囲内に調整したものを用いた。
【００４７】
そして、試料Ｓ２について、使用した緩衝溶液のｐＨ（異なるｐＨ）毎に、実施例１と同様の分析操作により電位保持工程，電位掃引工程を行って電位変化に対する電流変化特性をそれぞれ求め、それら各電流特性のピーク電流値を緩衝溶液のｐＨに対する特性として図３に示した。
【００４８】
図３の特性曲線に示すように、緩衝溶液のｐＨが８〜８．８の範囲内にてピーク電流が検出され、特にｐＨ８．２程度の場合に比較的大きいピーク電流が検出された。
【００４９】
したがって、図１に示すような分析においては、緩衝溶液としてｐＨが８〜８．８のものを用いることにより、被分析対象１ａ中で形成されたＡｌ3+錯化合物を直接的に測定でき、特にｐＨ８．２程度の場合には、より高感度および高精度での分析が可能であることを判明した。
【００５０】
（実施例３）
本実施例３では、ソロクロームバイオレットＲＳを種々の濃度に設定して配合し、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+を配合し、さらにソロクロームバイオレットＲＳを２０〜２００μＭの範囲内で配合して試料Ｓ３を得た。
【００５１】
そして、試料Ｓ３について、使用したソロクロームバイオレットＲＳの濃度（異なる濃度）毎に、実施例１と同様の分析操作により電位保持工程，電位掃引工程を行って電位変化に対する電流変化特性をそれぞれ求め、各電流特性のピーク電流値をソロクロームバイオレットＲＳ濃度に対する特性として図４に示した。
【００５２】
図４の特性曲線に示すように、配合したソロクロームバイオレットＲＳ濃度が２０〜２００μＭの範囲内にてピーク電流が検出され、特にソロクロームバイオレットＲＳ濃度が５０μＭ程度の場合に比較的大きいピーク電流が検出された。
【００５３】
したがって、図１に示すような分析においては、配合するソロクロームバイオレットＲＳ濃度が２０〜２００μＭの範囲内であれば、被分析対象１ａ中で形成されたＡｌ3+錯化合物を直接的に測定でき、特にソロクロームバイオレットＲＳ濃度が５０μＭ程度の場合には、より高感度および高精度での分析が可能であることを判明した。
【００５４】
（実施例４）
本実施例４では、電位保持工程での作用電極２の電位を種々の値に設定し、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+を配合し、さらにソロクロームバイオレットＲＳを５０μＭ配合して試料Ｓ４を得た。
【００５５】
その後、試料Ｓ４について、実施例１と同様の分析操作により電位保持工程，電位掃引工程を行って電位変化に対する電流変化特性を求めた。本実施例４の電位保持工程では、作用電極２の電位を＋０．８Ｖ〜＋１．２Ｖの範囲内に設定して行った。そして、作用電極２の設定電位（異なる作用電極２の電位）毎に電流特性のピーク電流値を求め、それら各ピーク電流値を作用電極２の電位に対する特性として図５に示した。
【００５６】
図５の特性曲線に示すように、電位保持工程での作用電極２の電位が＋０．８Ｖ〜＋１．２Ｖの範囲内にてピーク電流が検出され、特に＋１Ｖ程度の場合に比較的大きいピーク電流が検出された。この図５によれば、電位保持工程での作用電極２の電位が＋０．８Ｖ以上であれば、ソロクロームバイオレットＲＳが酸化されてＳＶＲＳ酸化体となり、そのＳＶＲＳ酸化体とＡｌ3+とのＡｌ3+錯化合物が形成され易くなることが読み取れる。
【００５７】
したがって、図１に示すような分析においては、電位保持工程での作用電極２の電位が＋０．８Ｖ〜＋１．２Ｖの範囲内であれば、Ａｌ3+錯化合物が電極に吸着され易くなるため、被分析対象１ａ中で形成されたＡｌ3+錯化合物を直接的に測定でき、特に＋１Ｖ程度の場合には、より高感度および高精度での分析が可能であることを判明した。
【００５８】
（実施例５）
本実施例５では、被分析対象１ａ中のＡｌ3+濃度を種々の値に設定し、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），０〜１０μＭのＡｌ3+を配合し、さらにソロクロームバイオレットＲＳを５０μＭ配合して試料Ｓ５を得た。
【００５９】
そして、試料Ｓ５について、使用したＡｌ3+の濃度（異なる濃度）毎に、実施例１と同様の分析操作により電位保持工程（作用電極２の電位を＋１Ｖに設定した電位保持工程；後述の実施例６〜１０も同様），電位掃引工程を行って電位変化に対する電流変化特性をそれぞれ求め、各電流特性のピーク電流値をＡｌ3+濃度に対する特性として図６に示した。
【００６０】
図６の特性曲線に示すように、Ａｌ3+濃度が０〜１０μＭの範囲内にてピーク電流が検出され、特に０〜６μＭ程度の範囲内にて良好な直線性を有することが読み取れる。
【００６１】
したがって、図１に示したような分析においては、Ａｌ3+濃度が０〜１０μＭの範囲内であれば、被分析対象１ａ中で形成されたＡｌ3+錯化合物を直接的に測定でき、特にＡｌ3+濃度が０〜６μＭの範囲内のピーク電流値特性線を検量線として十分適用できることを判明した。
【００６２】
（実施例６）
本実施例６では、前記の電位保持工程，電位掃引工程を含む分析操作を繰り返し行い、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），１μＭのＡｌ3+を配合し、さらにソロクロームバイオレットＲＳを５０μＭ配合して試料Ｓ６を得た。
【００６３】
そして、試料Ｓ６について、実施例１と同様の分析操作による電位保持工程，電位掃引工程を行って電位変化に対する電流変化特性を求めた。なお、本実施例では、前記の分析操作を合計４回繰り返して電位変化に対する電流変化特性をそれぞれ求め、得られた各電流特性のピーク電流値を分析操作毎に図７に示した。
【００６４】
図７に示す各ピーク電流値を比較すると、それぞれ略同一であることが読み取れる。また、各ピーク電流値の平均値と標準偏差とを求めたところ、その検出下限値が０．１６μＭであることを確認できた。ここで、水道法におけるＡｌ3+の規定値（目標濃度値）は約７．４μＭ以下であることから、図１に示すような分析においては再現性を有することが確認できた。
【００６５】
（実施例７）
前記のソロクロームバイオレットＲＳは、Ａｌ3+と反応してＡｌ3+錯化合物を形成する他に、鉄イオン（３価の鉄イオン（Ｆｅ3+））等との錯化合物（以下、Ｆｅ3+錯化合物と称する）を形成することが知られている。ここで、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+，２μＭのＦｅ3+を配合し、さらにソロクロームバイオレットＲＳを５０μＭ配合して試料Ｐ６を得て、実施例１と同様の分析操作により電位保持工程，電位掃引工程を行って電位変化に対する電流変化特性を求め、その結果を図８の電位変化に対する電流変化特性図（曲線Ａ）に示した。
【００６６】
図８の特性曲線Ａにおいては、電位−０．３Ｖ付近でのピーク電流の他に、−０．５Ｖ付近でのピーク電流が検出されていることを読み取れる。このように２つのピーク電流が検出された理由として、ＳＶＲＳ酸化体が試料Ｐ６中のＡｌ3+だけでなくＦｅ3+とも反応し、該試料Ｐ６中にてＡｌ3+錯化合物およびＦｅ3+錯化合物が形成され、それら各錯化合物が電極に吸着した後、各電位（Ａｌ3+錯化合物は電位−０．３Ｖ付近、Ｆｅ3+錯化合物は−０．５Ｖ付近）で溶出したことが考えられる。
【００６７】
そこで、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+，２μＭのＦｅ3+を配合し、さらに還元剤であるアスコルビン酸を２０μＭ，ソロクロームバイオレットＲＳを５０μＭ配合して試料Ｓ７を得、実施例１と同様の分析操作により電位保持工程，電位掃引工程を行って電位変化に対する電流変化特性を求め、その結果を図８の電位変化に対する電流変化特性図（曲線Ｂ）に示した。
【００６８】
図８の特性曲線Ｂにおいては、電位が−０．３Ｖ付近でのピーク電流のみが検出されていることが読み取れる。このように１つのピーク電流が検出された理由として、還元剤であるアスコルビン酸が、試料Ｓ７中のＦｅ3+を還元（Ｆｅ2+に還元）したため、該試料Ｓ７中にてＡｌ3+錯化合物のみが形成されたことが考えられる。
【００６９】
また、特性曲線Ｂのピーク電流の大きさは、特性曲線Ａに示したものよりも若干大きいことが読み取れる。この理由として、特性曲線Ａの場合、作用電極２のＡｌ3+錯化合物に係る電極反応（Ａｌ3+錯化合物の吸着反応や溶出反応）がＦｅ3+錯化合物の影響を少なからず受けていることが考えられる。
【００７０】
したがって、図１に示したような分析においては、たとえ被分析対象中に測定対象が複数（Ａｌ3+，Ｆｅ3+等の錯化性物質が複数）存在していても、還元剤を適宜用いることにより、該測定対象のうち少なくとも何れかを選択的に測定して分析できることを判明した。また、還元剤によって測定対象を限定、例えば非測定対象を還元剤で還元しＳＶＲＳ酸化体との反応を防止することにより、その他の測定対象におけるピーク電流の検出感度がより高くなることから、より高感度および高精度での分析が可能であることを判明した。
【００７１】
（実施例８）
本実施例８では、種々の界面活性剤を配合した被分析対象を用い、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+，０〜５ｐｐｍの界面活性剤を配合し、さらにソロクロームバイオレットＲＳを５０μＭ配合して試料Ｓ８を得た。前記の界面活性剤には、陽イオン性であるＤＴＡＣ（ドデシルトリメチルアンモニウムクロリド），陰イオン性であるＳＤＳ（ラウリル硫酸ナトリウム），非イオン性であるＴｒｉｔｏｎＸ（トリトンＸ）の何れかを用いた。
【００７２】
そして、試料Ｓ８について、使用した各界面活性剤の濃度（異なる濃度）毎に、実施例１と同様の分析操作により電位保持工程，出に掃引工程を行って電位変化に対する電流変化特性をそれぞれ求め、各電流特性のピーク電流値を界面活性剤濃度に対する特性として図９に示した。なお、図９の縦軸は、界面活性剤濃度が０ｐｐｍの場合のピーク電流値を１００％に換算した変化率とする。
【００７３】
図９の特性曲線に示すように、界面活性剤が配合されていてもピーク電流が検出されていることを読み取れる。また、界面活性剤が配合された場合のピーク電流は、界面活性剤が配合されていない場合のピーク電流と比較して、該界面活性剤濃度の上昇に連れて変化していることが読み取れる。例えば、界面活性剤としてＤＴＡＣを０〜５ｐｐｍ配合した場合はピーク電流の変化率が約１０％以下であるものの、界面活性剤としてＳＤＳまたはＴｒｉｔｏｎＸを１ｐｐｍ以上配合した場合はピーク電流の変化率が約１０％を超えている。
【００７４】
前記のような現象が生じた理由として、電位保持工程の際にＡｌ3+錯化合物と共に界面活性剤が電極に吸着され、その界面活性剤が作用電極２の電極反応（Ａｌ3+錯化合物の吸着反応や溶出反応）に影響を及ぼしたものと考えられる。すなわち、被分析対象１ａ中の界面活性剤濃度が１ｐｐｍ以上の場合には、Ａｌ3+錯化合物に係る電流特性（ピーク電流）が変化（分析精度および分析感度が低下）することを読み取れる。
【００７５】
一方、配合された界面活性剤がＳＤＳまたはＴｒｉｔｏｎＸ等であっても、その界面活性剤濃度が１ｐｐｍ未満（例えば、界面活性剤における環境基準値は０．２ｐｐｍ以下）であれば、ピーク電流の変化率は約１０％未満に抑えられることを読み取れる。例えば、陰イオン性の界面活性剤の水質基準は０．２ｐｐｍであり、非イオン性の界面活性剤の水質基準は０．０２ｐｐｍ以下であるため、例えば河川水等の環境水のような被分析対象であればピーク電流の変化率は極めて僅かであり、作用電極２の電極反応（Ａｌ3+錯化合物の吸着反応や溶出反応）に対する影響は殆どないものと見なせる。
【００７６】
したがって、図１に示すような分析においては、たとえ被分析対象１ａ中に界面活性剤が配合されていても、被分析対象１ａ中で形成されたＡｌ3+錯化合物を直接的に測定でき、その界面活性剤濃度が河川水等の環境水のように低ければ、ピーク電流の検出感度がより高くなることから、より高感度および高精度での分析が可能であることを判明した。
【００７７】
（実施例９）
本実施例９では、Ａｌ3+の他に種々の金属イオン（以下、分析対象外物質と称する）を配合した被分析対象を用い、それぞれの分析結果を検証した。まず、５０ｍＭの塩化ナトリウム電解質，２０ｍＭの緩衝溶液Ｔｒｉｓ（ＨＣｌでｐＨ８．２に調整されたＴｒｉｓ），２μＭのＡｌ3+、および分析対象外物質としてＭｎ2+，Ｔｉ4+，Ｚｎ2+，Ｎｉ2+，Ｃｏ2+をのうち何れかを２μＭ配合し、さらにソロクロームバイオレットＲＳを５０μＭ配合して試料Ｓ９を得た。
【００７８】
そして、試料Ｓ９について、配合した各分析対象外物質毎に、実施例１と同様の分析操作により電位保持工程，電位掃引工程を行って電位変化に対する電流変化特性を求めた。
【００７９】
前記の分析対象外物質の何れかが配合された場合の各電流変化特性のピーク電流値において、試料Ｓ９のバックグランド試料（分析対象外物質のみが入っていない試料）のピーク電流値を１００として比較したところ、Ｍｎ2+の場合は−８．５％，Ｔｉ4+の場合は＋１０．４％，Ｚｎ2+の場合は−１１．７％，Ｎｉ2+の場合は−１．７％，Ｃｏ2+の場合は−１２．５％の差があった。これらの格差は、大凡±１０％程度の誤差範囲であることが読み取れる。
【００８０】
したがって、図１に示したような分析においては、たとえＡｌ3+の他に分析対象外物質（例えば、Ａｌ3+以外の種々の金属イオン等）が被分析対象１ａ中に含まれていても、分析の精度および感度の誤差は微小であり、この程度の誤差であれば、例えば標準添加法等を適宜適用することにより十分な感度および精度が得られることを判明した。
【００８１】
（実施例１０）
本実施例では、Ａｌ3+を含んだ河川水を想定して河川水標準試料（Ａｌ3+濃度６０±２ｐｐｂ）を用い、その分析結果を検証した。まず、前記の河川水標準試料に対し、５０ｍＭの塩化ナトリウム電解質，２０ｍＭの緩衝溶液Ｔｒｉｓ（ＨＣｌでｐＨ８．２に調整されたＴｒｉｓ）を配合し、さらにソロクロームバイオレットＲＳを５０μＭ配合して試料Ｓ１０を得た。
【００８２】
次に、試料Ｓ１０について、実施例１と同様の分析操作により電位保持工程，電位掃引工程を行って電位変化に対する電流変化特性を求めた。なお、本実施例では、前記の分析操作を合計３回繰り返して電位変化に対する電流変化特性をそれぞれ求め、得られた各電流特性から試料Ｓ１０のＡｌ3+濃度を算出すると共に、それら算出値の平均値を求めた。
【００８３】
【表１】
2007248158.tif 000004
【００８４】
前記の表１に示す結果においては、各分析操作によって算出されたＡｌ3+濃度がそれぞれ異なるが、その相対標準偏差は５７．９±３．１ｐｐｂであり、河川水標準試料のＡｌ3+濃度と略同一であることが読み取れる。
【００８５】
したがって、図１に示したような分析においては、たとえＡｌ3+を含んだ河川水であっても、ソロクロームバイオレットＲＳをＡｌ3+とのみ反応させてＡｌ3+錯化合物を形成し、そのＡｌ3+錯化合物を直接的に定量でき、高感度および高精度での分析が可能であることを判明した。
【００８６】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００８７】
例えば、少なくとも作用電極（炭素系電極から成る作用電極），対電極，参照電極から構成され、被分析対象（ソロクロームバイオレットＲＳが配合された被分析対象）中に前記の各電極を配置し、電位保持工程によって前記作用電極の電位を正電位に保持し、電位掃引工程にて前記の作用電極の電位を負電位方向に掃引しながら該作用電極における電位変化に対する電流変化を検出することが可能なものであれば、たとえ技術常識の範囲内で適宜設計変更（例えば、各電極の形態や、分析条件（パルス間隔，パルス高さ，掃引速度）等の変更）等を行ったとしても、本実施例等と同様の作用効果が得られることは明らかである。
【図面の簡単な説明】
【００８８】
【図１】本実施の形態における溶液分析方法に適用可能な装置の概略説明図
【図２】実施例１の電位変化に対する電流変化特性図（ソロクロームバイオレットＲＳを用いた場合）。
【図３】実施例２の緩衝溶液のｐＨに対するピーク電流値特性図。
【図４】実施例３のソロクロームバイオレットＲＳ濃度に対するピーク電流値特性図。
【図５】実施例４の電位変化に対するピーク電流値特性図。
【図６】実施例５のＡｌ3+濃度に対するピーク電流値特性図。
【図７】実施例６の分析操作毎のピーク電流値特性図。
【図８】実施例７の電位変化に対する電流変化特性図（特性曲線Ａ，Ｂ）。
【図９】実施例８の界面活性剤濃度に対するピーク電流値変化率特性図。
【符号の説明】
【００８９】
１…容器
１ａ…被分析対象
２…作用電極
３…対電極
４…参照電極
５…ポテンシオスタット
６…コンピュータ
７…スターラー
【図１】
2007248158.tif 000005
【図２】
2007248158.tif 000006
【図３】
2007248158.tif 000007
【図４】
2007248158.tif 000008
【図５】
2007248158.tif 000009
【図６】
2007248158.tif 000010
【図７】
2007248158.tif 000011
【図８】
2007248158.tif 000012
【図９】
2007248158.tif 000013